(57)【要約】      （修正有）【課題】効率よく設備機器の配線と端子台との接続状況を確認することができる管理装置を提供する。【解決手段】管理装置１は、配線と端子台との間の接続情報を含むデータベースを管理する。この管理装置は、前記配線に付された第１識別情報および前記端子台に付された第２識別情報をそれぞれ電気的に認識して処理可能な第１データおよび第２データとして出力する第１端末１０と、前記第１端末が出力する前記第１データおよび第２データが互いに関連付けられて前記データベースに含まれているか否かを探索する第２端末２０と、を備える。【選択図】図１
2017091002.tif 000002
【特許請求の範囲】
【請求項１】
設備機器の配線と、前記配線と入出力基板とを接続する端子台と、の間の接続情報を含むデータベースを管理する管理装置であって、
前記配線に付された第１識別情報および前記端子台に付された第２識別情報をそれぞれ電気的に認識して処理可能な第１データおよび第２データとして出力する第１端末と、
前記第１端末が出力する前記第１データおよび第２データが互いに関連付けられて前記データベースに含まれているか否かを探索する第２端末と、
を備えた管理装置。
【請求項２】
前記第２端末は、前記第１データおよび前記第２データが関連付けられて前記データベースに含まれていないとき、または、前記第１データおよび前記第２データに新たな関連付けが含まれているときには、その旨出力する請求項１記載の管理装置。
【請求項３】
前記第２端末は、前記第１データおよび前記第２データが関連付けられて前記データベースに含まれていないときには、前記第１データおよび前記第２データのうち少なくとも１つの新たな関連付けにもとづいて前記データベースを更新する請求項２記載の管理装置。
【請求項４】
前記第２端末は、更新された前記データベースにもとづいて前記配線および前記端子台を含む回路図面を生成する請求項３記載の管理装置。
【請求項５】
前記第１識別情報は、ＲＦタグおよびバーコードのうちの少なくとも１つに含まれ、前記第２識別情報は、ＲＦタグおよびバーコードのうちの少なくとも１つに含まれる請求項１〜４のいずれか１つに記載の管理装置。
【発明の詳細な説明】
【技術分野】
【０００１】
本発明の実施形態は、管理装置に関する。
【背景技術】
【０００２】
稼働を開始してから何年か操業を続けてきたプラントにおいて、新たな設備に入れ替えるリフレッシュ工事が行われる場合がある。このようなリフレッシュ工事は、更新エンジニアリング業務と呼ばれる（以下、単に更新エンジニアリングという）。更新エンジニアリングでは、そのプラントの最新の展開接続図を入手し、改造対象が明確であることを前提として更新エンジニアリングを開始する必要がある。更新エンジニアリングの中で最新の展開接続図と実際のハードウェアとの間に相違点が見つかった場合には、不明点をその都度調査し、正しい情報を最新の展開接続図に反映させる必要がある。
【０００３】
更新エンジニアリングでは、対象のプラントの設備機器等の配線の接続状況を確認するために、制御盤等の端子台における配線の接続を含む最新の展開接続図を入手し、その上で、現地調査を行って実際の配線の接続状態を確認する。このような現地調査では、配線に取り付けられたマークチューブを目視にて確認することによって、配線と端子台との接続状態を確認する。しかしながら、マークチューブは、現地調査者が容易に目視することができない制御盤の内側に入り込んでいたり、配線を動かして角度を変えないと目視できない位置に設置されている場合がある。リフレッシュ工事の開始時には、当初の設置から年数を経過し、配線が劣化している場合もあり、取り付けられたマークチューブを破損することなく情報を読み取ることが困難なことが少なくない。
【０００４】
更新エンジニアリングでは、すべての機器等の交換や更新を行わずに、多くの場合、制御装置のみを更新し、その配線、端子台および入出力基板を流用する。その後しばらく経過して、前回更新しなかった配線、端子台および入出力基板の更新を行う。このような更新のたびに、これらの既設機器等の調査を実施するには、多大な工数と費用がかかる。
【０００５】
さらに、更新エンジニアリングでは、長い期間を経た後に行われる場合もあり、たとえばユーザ側で少しずつ改造が加えられていることがある。そのような場合には、設備機器等の配線と端子台との接続情報が端子台図や展開接続図に反映されていることがまれであり、図面との相違点を明らかにするために、現地調査によって実際の接続状態を確認する必要がある。
【０００６】
このようなユーザ側での改造量が多い場合には、現地調査等には多くの労力を必要とする一方で、調査可能な時間は限られている。そのため、設備機器等の配線の端子台等への接続状態が目視により確認できない場合には、接続先は不明とし、必要に応じて新たな制御盤を設置する。
【０００７】
目視による現地調査の結果を図面に反映させる作業は、手作業で行うので、現地調査時の誤認識による情報間違いを生じるおそれに加えて、図面反映時の入力ミスを生じるおそれがある。
【０００８】
そのため、更新エンジニアリングの現地調査において、既設の設備機器の配線と端子台との接続状況を効率よく確認し、調査結果をミスなく図面等に反映できるようにすることが望まれる。
【先行技術文献】
【特許文献】
【０００９】
【特許文献１】特開２００８−９９４０７号公報
【発明の概要】
【発明が解決しようとする課題】
【００１０】
実施形態は、設備機器の配線と端子台との接続状況を効率よく確認することができる管理装置を提供する。
【課題を解決するための手段】
【００１１】
実施形態に係る管理装置は、設備機器の配線と、前記配線と入出力基板とを接続する端子台との間の接続情報を含むデータベースを管理する管理装置である。この管理装置は、前記配線に付された第１識別情報および前記端子台に付された第２識別情報をそれぞれ電気的に認識して処理可能な第１データおよび第２データとして出力する第１端末と、前記第１端末が出力する前記第１データおよび第２データが互いに関連付けられて前記データベースに含まれているか否かを探索する第２端末と、を備える。
【発明の効果】
【００１２】
本実施形態では、設備機器の配線および端子台に付された識別情報を電気的に認識して処理可能なデータとして出力できる第１端末を備えているので、配線のマークチューブ等による目視によらなくても、また、配線に触れることなく、配線と端子台との接続情報を取得することができる。取得された接続情報は、第２端末によってデータベースと照合されるので、最新の接続情報を得ることができる。
【図面の簡単な説明】
【００１３】
【図１】第１の実施形態に係る管理装置を例示するブロック図である。
【図２】管理装置のためのデータベースを例示する図である。
【図３】データベースから取得する端子台図面を例示する図である。
【図４】第２の実施形態に係る管理装置を例示するブロック図である。
【発明を実施するための形態】
【００１４】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１５】
（第１の実施形態）
図１は、本実施形態に係る管理装置を例示するブロック図である。
図２は、本実施形態の管理装置のデータベースを例示する図である。
図３は、データベースから取得する端子台図面を例示する図である。
図１に示すように、本実施形態の管理装置１は、情報取得端末（第１端末）１０と、データベース管理端末（第２端末）２０と、を備える。管理装置１は、更新エンジニアリングの対象となっているプラントシステム１００において用いられる。
【００１６】
まず、管理装置１が用いられる更新エンジニアリング対象のプラントシステム１００の構成について説明する。プラントシステム１００は、設備機器６０と、入出力モジュール７０とを含んでいる。一般に、更新エンジニアリングの対象となるプラントシステム１００では、複数の設備機器６０と、各設備機器６０に対応して設けられた複数の入出力モジュール７０と、入出力モジュール７０を介して、対応する設備機器のシーケンス制御等を行うコントローラ９０とを含んでいる。これらは、たとえばイーサネット（登録商標）等の通信ネットワーク８０で相互に接続されている。入出力モジュール７０およびコントローラ９０は、たとえばプログラマブルロジックコントローラ（Programmable Logic Controller、以下、ＰＬＣともいう。）のＩＯモジュールおよびコントローラである。更新エンジニアリングの対象となるのは、このようなＰＬＣが複数含まれることが通常である。以下では、簡単のために、１つの入出力モジュール７０と、これに対応する設備機器６０とを取り上げて説明する。
【００１７】
設備機器６０は、プラントシステム１００の１つの工程において、何らかの操作、処理等を行う機器である。設備機器６０には、たとえば誘導電動機の駆動装置や電力変換装置等の各種装置が含まれる。設備機器には、装置のほか、温度センサや電圧・電流センサ等の各種センサ類や、電磁バルブ等の各種アクチュエータのドライバ等も含まれる。設備機器６０は、外部から電源供給を受け、各種信号の入出力等を行うための複数の配線を有している。この例では、設備機器６０は、２本の配線６２，６３を有している。２本の配線６２，６３のそれぞれの先端付近には、当該設備機器６０の配線であることを識別するためのＲＦタグ６４，６５がそれぞれ貼付されている。設備機器６０の配線６２，６３がプラントシステム１００内の劣悪な環境に置かれる場合もあるため、ＲＦタグ６４，６５は、配線６２，６３から容易に脱落しないように十分な強度で貼付されている。たとえば高温でも接着力が低下しないように紫外線硬化型の接着剤により配線６２，６３の被覆部に接着された後、外周を保護被覆で巻回する等して付着力を高めるようにしてもよい。ＲＦタグ６４，６５は、配線６２，６３に関する情報が記憶された半導体素子と、半導体素子に電磁結合等により外部から電源を供給できるようにする電源回路とを含む識別情報素子である。半導体素子は、記憶素子であり、後述するように、配線６２，６３を識別する情報が記憶される。
【００１８】
入出力モジュール７０は、入出力基板７２と、端子台７４とを含む。入出力基板７２は、コントローラ９０の命令にしたがって、設備機器６０に対して適切な信号を送信する。あるいは、コントローラ９０の命令にしたがって、設備機器６０から適切な信号を取得する。たとえば、設備機器６０が、ある種のセンサである場合には、入出力基板７２は、コントローラ９０の命令にしたがって、センサから出力信号取得して取得したデータをコントローラ９０に送信する。コントローラ９０は、入出力基板７２から取得したデータにもとづいて、次段の入出力基板に適切な指令を送信する。端子台７４は、複数の端子７４ａ〜７４ｌを有している。入出力基板７２の配線は、いずれかの端子に電気的に接続されている。たとえば、配線７７，７８は、端子７４ｇ，７４ｈにそれぞれ接続されている。端子台７４の各端子７４ａ〜７４ｌは、それぞれ２つずつあらかじめ電気的に接続されている。たとえば、端子７４ａおよび端子７４ｇは、あらかじめ接続されており、端子７４ｂおよび端子７４ｈはあらかじめ接続されている。
【００１９】
入出力モジュール７０の端子台７４は、設備機器６０の配線６２，６３が接続される。たとえば、配線６２，６３は、端子台７４の端子７４ａ，７４ｂにそれぞれ接続されている。端子７４ａ，７４ｂがそれぞれ端子７４ｇ，７４ｈとあらかじめ接続されている場合には、設備機器６０の配線６２，６３は、入出力基板７２の配線７７，７８とそれぞれ電気的に接続される。
【００２０】
端子台７４には、プラントシステム１００に配置されたときに目視できる位置にバーコード７６が貼付されている。バーコード７６は、一次元でも二次元でもかまわないが、より少ないスペースに貼付するためにＱＲコード（登録商標）のような二次元コードが好ましく用いられる。バーコード７６には、端子台７４、またはこれに接続されている入出力基板７２、あるいはこれらを含む入出力モジュール７０を他から識別する情報が記録されている。バーコード７６は、端子台７４等を他から識別できればよく、バーコードに限らず、ＲＦタグを貼付してもよい。
【００２１】
設備機器６０の配線６２，６３のそれぞれに貼付されるＲＦタグ６４，６５には、その配線であることを識別する情報が記憶され、端子台７４のバーコード７６には、その端子台であることを識別する情報が記憶されている。これらの情報は、互いに関連付けられて、データベース化されている。
【００２２】
次に、本実施形態の管理装置１の構成について説明する。
本実施形態の管理装置１の情報取得端末１０は、ＲＦタグ読取部１２と、バーコード読取部１４と、記憶部１６と、インタフェース部１８とを有する。ＲＦタグ読取部１２は、ＲＦタグ６４，６５にかざしたときに、ＲＦタグ６４，６５の電源部に電力を供給するとともに、電磁界や電波によってＲＦタグ６４，６５と電磁的に結合して半導体素子に格納されている情報をデータとして取得する。ＲＦタグ読取部１２は、電磁界等による検出機能のほか、データ処理可能な形式に変換するデータ変換機能を有する。バーコード読取部１４は、バーコード７６にかざしたときに、バーコード７６に光を照射して反射光を検出することによってバーコード７６の情報をデータとして読み取る。バーコード読取部１４は、読み取ったデータをデータ処理可能な形式に変換するデータ変換機能を有する。ＲＦタグ読取部１２およびバーコード読取部１４によって取得され所定の形式に変換されたデータは、記憶部１６に格納される。インタフェース部１８は、データベース管理端末２０に接続して、記憶部１６に格納された識別データを転送するためのインタフェースを提供する。識別データの転送のためのインタフェースは、有線または無線のいずれであってもよい。情報取得端末１０は、この例では、ＲＦタグ６４，６５にかざして、その情報を読み取ってデータベース管理端末２０にデータを転送する機能と、バーコード７６を読み取ってデータベース管理端末２０にそのデータを転送する機能とを合わせもっている。ＲＦタグの読み取りと、バーコードの読み取りとを異なる端末で行うようにしてもかまわない。
【００２３】
本実施形態の管理装置１のデータベース管理端末２０は、データベース管理部２１と、インタフェース部２２，２３と、比較部２４と、出力インタフェース部２５と、を含んでいる。データベース管理部２１は、インタフェース部２２を介して、情報取得端末１０に接続される。このインタフェース部２２は、上述のとおり、有線に対応したものでも無線に対応したものでもよい。データベース管理部２１は、インタフェース部２３を介して、記憶部３０に接続される。記憶部３０には、データベース４０が格納されている。データベース４０には、ＲＦタグ６４，６５に記憶された情報によって設備機器６０の配線６２，６３を識別するデータが、端子台７４の識別データ等と関連付けられて格納されている。データベース管理部２１は、インタフェース部２３を介して、記憶部５０に接続されるようにしてもよい。記憶部５０には、たとえば、配線６２，６３および端子台７４の識別データに関連付けられた回路図データを有する図面データベース５２が格納されている。記憶部３０は、たとえばデータベースサーバの記憶領域である。データベース管理端末２０は、有線または無線の通信ネットワークを介してデータベースサーバにアクセスすることによって記憶部３０のデータベース４０にアクセスすることができる。図面データベース５２は、たとえばデータベースサーバの他の記憶領域に格納されていてもよい。なお、この通信ネットワークは、インタネット等の汎用の通信ネットワーク等であり、他のコンピュータ端末も接続され、これらのデータベースにアクセスすることができる。記憶部３０，５０は、たとえばデータベース管理端末２０の内蔵記憶装置であってもよい。この場合には、データベース管理端末２０は、スタンドアロン型の端末である。
【００２４】
データベース管理部２１は、情報取得端末１０によって収集されたデータをロードする。データベース管理部２１は、ロードされたデータにもとづいて、データベース４０から、ロードされたデータに関連付けられているデータを検索し、抽出する。
【００２５】
比較部２４は、情報取得端末１０によって収集されたデータと、データベース４０に格納されているデータとを比較して、相違点があるときには、相違点を抽出する。抽出された相違点に関するデータは、データベース管理部２１を介して、データベース４０に記録するようにしてもよい。
【００２６】
出力インタフェース部２５は、比較部によって抽出された収集データと、データベース４０に格納されているデータとの相違点を、たとえばモニタ（図示せず）に表示するためのデータ形式に変換して、モニタに表示する。
【００２７】
データベース管理端末２０は、たとえばパーソナルコンピュータである。データベース管理部２１および比較部２４は、メモリに格納されたプログラムにしたがってＣＰＵ（Central Processing Unit）において実行される機能として実現するようにしてもよい。データベース管理端末２０は、上述以外にも、データを入力するためのキーボード等の入力インタフェース等を有している。
【００２８】
本実施形態の管理装置１において用いられるデータベース４０の構成について説明する。
図２に示すように、データベース４０は、設備機器６０の配線６２，６３等に関する情報と、入出力モジュール７０の端子台７４に関する情報とを含んでいる。設備機器６０の配線６２，６３等に関する情報は、配線を識別するために配線の１本１本にシリアル番号が付与されて、たとえば一連番号としてデータベース４０に格納されている。配線６２，６３等に関するシリアル番号は、データベース４０の管理番号（シリアルＮｏ．）欄４１に示されている。端子台７４に関する情報は、端子台７４または入出力モジュール７０を識別するために端子台７４または入出力モジュール７０ごとに付与される識別記号である。端子台７４の識別記号は、データベース４０の端子台名称欄に示されている。
【００２９】
設備機器６０の配線６２，６３には、シリアル番号である管理番号が情報として記憶されたＲＦタグ６４，６５が貼付されている。端子台７４には、他の端子台と識別するための情報を含むバーコード７６が貼付されている。これらに含まれる識別データは、プラントの現場において実地で確認された情報にしたがって関連付けられている。たとえば、設備機器６０の配線６２，６３には、それぞれ線番号ａ０１，ａ０２が付与され、配線６２，６３は、入出力モジュール７０の端子台７４に接続されていることが現場での調査に判明したことがデータベース４０に反映されている。
【００３０】
データベース４０には、現場調査の内容が反映された情報として、端子台７４の各端子の接続情報が記録されている。たとえば、接続情報欄４４のうち一方の欄４４ａには、入力端子名称が記録され、他方の欄４４ｂには、入出力基板７２の配線の機能情報が記録されている。図２の例では、欄４４ａには、端子台名称Ａ０１（端子台名称（端子台Ｎｏ．）欄４３参照）の端子台の端子Ｔ０１には、配線名称（配線名称（線Ｎｏ．）欄４２参照）ａ０１なる設備機器の配線が接続されていることが示されている。この端子台の端子Ｔ０１は、入出力基板７２の配線Ｔ９１に接続されていることが合わせて示されている。
【００３１】
その他に、データベース４０には、互いに関連付けられた配線の識別情報および端子台の識別情報に、さらにこれらを含む回路図の情報を関連付けることができる。図面情報欄４６には、配線およびその配線が接続されている端子台を含むに回路図面の管理番号が記載されている。あるいは、その回路図面が保存されているリンクを回路図番号とともに表示するようにしてもよい。その場合、この回路図面は、たとえば図面データベース５２によって管理され、記憶部５０に格納されている。
【００３２】
配線６２，６３および端子台７４を含む回路図は、ユーザの手によって改版された場合には、たとえば改版の日付とともに、改版図面が保存されているリンクを表示するようにしてもよい。この例では、改造履歴欄４５が設けられており、この欄の日付には、そのときの回路図面の保存先がリンクとして張られている。この例のように、最新版と直前版とを見ることができるようにリンクを表示してもよいし、さらに旧版を表示するようにしてもよい。図面情報欄４６には、回路図全体のデータを表示するリンクを張り、改造履歴欄４５には、その配線および端子台情報を含む部分回路図を表示するようにしてもよい。
【００３３】
本実施形態の管理装置１の動作について説明する。
本実施形態の管理装置１では、まず、プラントの現場において、情報取得端末１０を端子台７４のバーコード７６にかざしてその端子台７４の識別情報を取得する。
【００３４】
データベース管理端末２０のデータベース管理部２１は、情報取得端末１０から端子台７４のバーコード７６に含まれる識別データ、たとえば「Ａ０１」をロードする。
【００３５】
データベース管理部２１は、ロードしたデータにしたがって、データベース４０を検索し、ロードしたデータ「Ａ０１」が含まれるデータを抽出する。
【００３６】
情報取得端末１０を、端子台７４に入線している配線の付近にかざして、配線６２，６３に貼付されているＲＦタグ６４，６５から識別情報を取得する。
【００３７】
データベース管理部２１は、ＲＦタグ６４，６５から取得したデータをロードする。
【００３８】
比較部２４は、データベース４０から抽出したデータと、ＲＦタグ６４，６５から取得したデータを比較する。比較したデータに相違があるときには、その旨をモニタ等に表示する。
【００３９】
比較したデータに相違がある場合とは、たとえば、データベース４０に記録されている端子台７４に接続されているべき配線６２，６３の情報が異なっている場合が考えられる。データベース４０上、端子台名称が「Ａ０１」には、配線「ａ０１」および「ａ０２」が関連付けられているところ、現地調査では、端子台名称「Ａ０１」には、別の配線「ｂ０１」および「ｂ０２」が接続されているような場合である。この場合には、たとえば、データベース管理端末２０のモニタ上に図２のようなデータベース４０を表示し、相違点を見い出した箇所（「ｂ０１」、「ｂ０２」）を反転表示やフラッシュ表示させるようにしてもよい。
【００４０】
比較したデータに相違がある他の場合として、たとえば、データベース４０に記録されている端子台名称「Ａ０１」には、配線「ａ０１」および「ａ０２」が関連付けられているところ、現地調査では、端子台「Ａ０１」には、配線「ａ０１」、「ａ０２」、「ｂ０１」および「ｂ０２」が接続されていることが判明した場合がある。この場合は、データベース４０の記録よりも実際の接続配線が増えているとの相違点が見い出されたことになる。この場合には、たとえば、データベース管理端末２０のモニタ上にデータベース４０を表示し、他の接続配線が存在すべき箇所（「ｂ０１」、「ｂ０２」が入力されているべき箇所）を反転表示やフラッシュ表示させるようにしてもよい。
【００４１】
これとは逆に、データベース４０上、端子台「Ａ０１」には、配線「ａ０１」、「ａ０２」、「ｂ０１」および「ｂ０２」が接続されているべきところ、現地調査では、配線「ａ０１」および「ａ０２」しか確認されないような場合もある。この場合には、たとえば、データベース管理端末２０のモニタ上にデータベース４０を表示し、過剰なデータを見い出した箇所（「ｂ０１」、「ｂ０２」）を反転表示やフラッシュ表示させるようにしてもよい。あるいは、図３に示すように、データベース４０の改造履歴欄４５の最新欄４５ａの「Ａ０１」の行をクリックして最新図面を呼び出すと、現地調査で取得したデータとの相違箇所をフラッシュ等により表示するようにしてもよい。たとえばユーザによって、現地の配線の変更がなされたものの、データベースへの反映がなされていない場合に、上述のような相違が確認される。ｂ０１，ｂ０２の接続が設備機器の電源に関する配線であるような場合には、ユーザによって、電源線が削除され、この設備機器を不使用としたことが推定される。この端子台「Ａ０１」は不使用である旨のデータにデータベース管理端末２０を用いてマニュアルにてデータ更新を行うこともできる。
【００４２】
また、上述のような相違点を用いて、データベース４０を更新するようにしてもよい。たとえば、データベース４０には、端子台名称「Ａ０１」に配線名称「ａ０１」、「ａ０２」、「ｂ０１」および「ｂ０２」が関連付けられているところ、端子台名称「Ａ０１」には、配線名称「ａ０１」および「ａ０２」のみが検出された場合には、端子台「Ａ０１」の関連付けを「ａ０１」および「ａ０２」としてデータベース４０を上書きする。あるいは、端子台名称「Ａ０１」に関して、新たなレコードを設定して記録し、既存のレコードには、不使用レコードであることを表すフラグを立てるようにしてもよい。
【００４３】
本実施形態の管理装置１の作用および効果について説明する。
本実施形態の管理装置１では、設備機器６０の配線６２，６３に識別用のＲＦタグ６４，６５が貼付され、入出力モジュール７０の端子台７４にも識別用のバーコード７６が貼付されているので、プラントの現地調査者は、配線等に触れることなく容易に配線および端子台の識別情報を取得することができる。
【００４４】
管理装置１は、配線６２，６３および端子台７４に接続情報が関連付けられて記録されたデータベース４０を探索して、現地調査において取得された配線６２，６３および端子台７４の識別情報と比較することができるので、直近のデータベース４０に反映されていない接続情報の改変を知ることができ、改造情報としてデータベース４０に容易に反映させることができる。したがって、本実施形態の管理装置１では、配線情報の誤認識による誤入力を低減することができる。
【００４５】
管理装置１は、データベース４０を介して、端子台図面を含む図面データベース５２にリンクされているので、現地調査において取得された配線６２，６３および端子台７４の接続情報が最新の端子台図面等に反映されているかを容易に確認することができる。
【００４６】
管理装置１を可搬型等とすることによって、管理装置１を現地調査に携帯することができ、接続情報の現地調査と相違点確認作業とを同時に実施することができ、現地調査等の効率を向上させることができる。
【００４７】
（第２の実施形態）
図４は、本実施形態の管理装置１ａを例示するブロック図である。
第１の実施形態の管理装置１では、プラントシステム１００において取得した接続情報の相違点を抽出して、データベース４０に反映させたが、変更点を含んだ回路図を生成する機能をさらに有する。
【００４８】
図４に示すように、管理装置１ａのデータベース管理端末２０ａは、図面生成部２６をさらに有する。データベース管理端末２０ａの他の構成要素は、第１の実施形態の管理装置１のデータベース管理端末２０と同じであり、同一の符号を付して詳細な説明を省略する。
【００４９】
図面生成部２６は、データベース４０から抽出された端子台７４に関する識別データと、データベース管理部２１にロードされたＲＦタグ６４，６５による識別データとの関連付けに相違がある場合に、新たな関連付けにより更新されたデータベースにもとづく接続情報を反映させた回路図を生成する。生成された回路図面は、改版日を付与して、図面データベース５２に保存する。図面生成部２６は、データベース管理部２１および比較部２４と同様にパーソナルコンピュータのＣＰＵ上で動作するプログラムの一部として実現してもよい。
【００５０】
本実施形態の管理装置１ａの作用および効果について説明する。
上述したように、本実施形態の管理装置１ａは、データベース管理端末２０ａが図面生成部２６を有しているので、取得したデータと直近のデータベース４０のデータとの比較によって判明した相違点を最新の回路図情報として取得することができる。そのため、データベース４０および図面データベース５２の更新の負担を軽減することができるとともに、図面反映時の入力ミスを低減させることができ、更新エンジニアリングの業務効率を向上させることができる。
【００５１】
以上説明した実施形態によれば、更新エンジニアリングを容易に実行することができる管理装置を実現することができる。
【００５２】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００５３】
１，１ａ  管理装置、１０  情報取得端末、１２  ＲＦタグ読取部、１４  バーコード読取部、１６  記憶部、１８  インタフェース部、２０，２０ａ  データベース管理端末、２１  データベース管理部、２２，２３  インタフェース部、２４  比較部、２５  出力インタフェース部、２６  図面生成部、３０  記憶部、４０  データベース、４１  管理番号欄、４２  配線名称欄、４３  端子台名称欄、４４  接続情報欄、４５  改造履歴欄、４６  図面情報欄、５０  記憶部、５２  図面データベース、６０  設備機器、６２，６３  配線、６４，６５  ＲＦタグ、７０  入出力モジュール、７２  入出力基板、７４  端子台、７４ａ〜７４ｌ  端子、７６  バーコード、７７，７８  配線、８０  通信ネットワーク、９０  コントローラ、１００  プラントシステム
【図１】
2017091002.tif 000003
【図２】
2017091002.tif 000004
【図３】
2017091002.tif 000005
【図４】
2017091002.tif 000006